(57)【要約】      （修正有）【課題】測定対象物に引っ掛けた際に、簡単に外れない構造の係止爪を備えた巻尺を提供する。【解決手段】スケール３の先端に、スケール３の面に垂直な方向に突き出した、測定対象物に係止するための係止爪１ａと、係止爪１ａの先端に設けられた回動軸を介して係止爪１ａに取り付けられ、スケール３とは反対の側に回動可能な第二の係止爪２ａとで、２箇所の屈曲部を有する係止爪を構成する。これにより係止爪をフック状の形状とする。【選択図】図１
2015034805.tif 000002
【特許請求の範囲】
【請求項１】
目盛が設けられてなるテープ状のスケールがケース内に巻き取れた状態で収容された巻尺において、前記スケールの先端に、前記スケールの面に垂直な方向に突き出した、測定対象物に係止するための係止爪と、前記係止爪の先端に設けられた回動軸を介して前記係止爪に取り付けられ、前記スケールとは反対の側に回動可能な第二の係止爪を有することを特徴とする巻尺。
【請求項２】
前記係止爪は、前記係止爪の厚みの分だけ前記スケールの長さ方向に移動可能なように、遊嵌した状態で、前記スケールの先端に取り付けられてなることを特徴とする、請求項１に記載の巻尺。
【発明の詳細な説明】
【技術分野】
【０００１】  本発明は。目盛が設けられたテープが、巻き取られた状態でケース内に収容されてなる巻尺に関わり、特に、長い距離を測定する作業において、測定対象物の一方の端部にテープの先端を引っ掛けるための係止爪の改良に関わるものである。
【背景技術】
【０００２】  長さの測定には、スケールが用いられるが、概ね、両腕を拡げた長さよりも、長い対象物の長さの測定には、巻尺が用いられることが多い。これは、巻尺特有の構造、つまり、長尺のテープに目盛を設けたスケールが、巻き取られた状態でケース内に収納され、必要に応じてスケールを引き出して使用できることによる。【０００３】  巻尺には、スケール部が、布製や柔軟なプラスチック製のものと、長さ方向に垂直な断面が湾曲した形状を有する、金属の薄板で構成されるものがある、特に後者はコンベックスと称されることが多い。そして、使用にあたっての利便性向上のため、巻尺のスケールの先端には、測定対象物に引っ掛けるための係止爪が設けられている。また、当該係止爪の厚さ分の長さをアジャストするために、爪の位置をスライド調整させる機構も設けられている。【０００４】  このような係止爪で課題となるのは、その形状がスケールの厚み方向に突き出したＬ字型であるため、測定対象物に引っ掛けても、簡単に外れてしまうことである。このような課題に対処することを目的として、特許文献１には、係止爪に磁石を取り付けて、測定対象物に磁気的に吸着させることが可能な、コンベックス型の巻き尺が開示されている。しかしながら、この係止爪は、測定対象物が被磁性体であると、磁石の効果をまったく発現できないものである。【０００５】  また、特許文献２には、測定対象物に設けられたボルトやナットに着脱可能で、スケールの係止爪を挿入可能なスリットを有する、直線寸法測定具が開示されている。しかしながら、この器具は、ボルトやナットが取り付けられていない測定対象物では使用できないという課題がある。
【先行技術文献】
【特許文献】
【０００６】
【特許文献１】  特開２００４−２７１２５２号公報
【特許文献２】  特開２０１０−０９１３０２号公報
【発明の概要】
【発明が解決しようとする課題】
【０００７】  従って、本発明の課題は、測定対象物に引っ掛けた際に、簡単に外れない係止爪を備えた巻尺を提供することにある。
【課題を解決するための手段】
【０００８】  本発明は、前記の課題解決のため、係止爪の先端にフック形状を付与し、しかもケースへの収納に際に、支障を生じない構造を検討した結果なされたものである。【０００９】  即ち、本発明は、目盛が設けられてなるテープ状のスケールがケース内に巻き取れた状態で収容された巻尺において、前記スケールの先端に、前記スケールの面に垂直な方向に突き出した、測定対象物に係止するための係止爪と、前記係止爪の先端に設けられた回動軸を介して前記係止爪に取り付けられ、前記スケールとは反対の側に回動可能な第二の係止爪を有することを特徴とする巻尺である。【００１０】  また本発明は、前記係止爪が、前記係止爪の厚みの分だけ前記スケールの長さ方向に移動可能なように、遊嵌した状態で、前記スケールの先端に取り付けられてなることを特徴とする、前記の巻尺である。
【発明の効果】
【００１１】  本発明に係る巻尺の係止爪は、請求項１に記載した構造を具備しているため、測定対象物にひっかける際には、第二の係止爪をスケール側とは反対の方向に回動させて引き出すことで、係止爪が二つ屈曲部を備えた形状となるので、確実に測定対象物に引っ掛けることができる。【００１２】  また、本発明に係る巻尺は、請求項２に記載した構造を具備しているため、測定対象物の表面にスケール部の先端を押し当てて、長さを測定する場合と、係止爪を測定対象物に引っ掛けて長さを測定する場合に生じる、係止爪のスケールと直交する部分の厚さの差分を調整することができる。
【図面の簡単な説明】
【００１３】
【図１】  本発明に係る、巻尺の一例の全体を示す斜視図。
【図２】  本発明に係る巻尺のスケールと係止爪の部分を拡大した斜視図。
【図３】  本発明に係る巻尺における係止爪の別形態の例を示す図、図３（ａ）は正面図、図３（ｂ）はＡＡ断面。
【図４】  本発明の巻尺の係止爪を、測定対象物に引っ掛けた状態を示す模式図。
【発明を実施するための形態】
【００１４】  次の本発明の実施の形態について、具体的な図に基づいて説明する。
【００１５】  図１は、本発明に係る、巻尺の一例の全体を示す斜視図である。図１において、１ａは係止爪、２ａは第二の係止爪、３はスケール、４はケースである。ここに示したスケール３は、前記のように軟質のプラスチック材料や、金属の薄板で構成される。
【００１６】  図２は、本発明に係る巻尺のスケールと係止爪の部分を拡大した斜視図である。図２において、１ｂは係止爪、２ｂは第二に係止爪、５ａは調整部である。調整部５ａは、測定対象物に係止爪１ｂを押し当てて、長さ測定する場合と、係止爪１ｂを測定対象物に引っ掛けてスケールを引っ張りながら、長さを測定する場合に、係止爪１ｂの厚みに起因して生じる測定値の差を調整するために、係止爪１ｂをスケールの長さ方向に摺動させるものである。
【００１７】  ここに示したように、第二の係止爪２ｂは、係止爪１ｂの先端部に設けられた回動軸を介して係止爪１ｂに取り付けられ、使用の際にスケール３とは反対の側に引き出され、フック状の形状となる。これによって、測定対対象物図にスケール３の先端を引っ掛けることができ、巻尺の利便性を向上できる。
【００１８】  図３は、本発明に係る巻尺における係止爪の別形態の例を示す図で、図３（ａ）は正面図、図３（ｂ）はＡＡ断面である。図３において、１ｃは係止爪、２ｃは第二の係止爪、６は回動軸、７はストッパーである。この例では、ストッパー７が設けられ、第二の係止爪２ｃが、スケールとは反対の側に９０°回動すると、ストッパー７が、係止爪１ｃの当接し、第二の係止爪は９０℃以上に回動しないようになっている。また、ストッパーの構造、具体的には第二の係止爪２ｃとストッパー７がなす角度を適宜変えることで、第二の係止爪２ｃの回動角度を調整できる。
【００１９】  図４は、本発明の巻尺の係止爪を、測定対象物に引っ掛けた状態を示す模式図である。図４において、５ｂは調整部、８は測定対象物である。ここに示したように、係止爪がフック状になるので、測定対象物の端部の突起部に係止爪が係合し、簡単には外れないので、巻尺を用いた長さ測定の作業性を向上することができる。
【００２０】  以上に説明したように、本発明によれば、測定対象物に引っ掛けた際に、簡単に外れない係止爪を備えた巻尺を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２１】１ａ，１ｂ，１ｃ…係止爪    ２ａ，２ｂ，２ｃ…第二の係止爪
３…スケール    ４…ケース    ５ａ，５ｂ…調整部
６…回動軸    ７…ストッパー    ８…測定対象物
【図１】
2015034805.tif 000003
【図２】
2015034805.tif 000004
【図３】
2015034805.tif 000005
【図４】
2015034805.tif 000006